(57)【要約】      （修正有）【課題】公園や遊園地等に設置されているブランコの吊り部材（回転軸部）において腐食劣化に伴う突然の部材破断に際しても、利用者が投げ出されたり等、致命傷を負うことがないように、梁部とチェーンを繋いでおく装置を持ち合わせたブランコまたはその装置を提供する。【解決手段】ブランコの梁部とブランコチェーンを本発明におけるチェーンまたはワイヤー２８で繋ぐ。また、吊り部材（回転軸部）が破断した状況が解り、早期手当てが出来るように、チェーンまたはワイヤー部２８の長さに適度の余裕を持たせる。【選択図】図７
2014083407.tif 000002
【特許請求の範囲】
【請求項１】
公園や遊園地等に設置されているブランコの吊り部材（回転軸部）において腐食劣化に伴う突然の部材破断に際しても、利用者が投げ出されたり等、怪我を負うことがないように、梁部とチェーンを繋いでおく装置を持ち合わせたブランコ。
【請求項２】
公園や遊園地等に設置されているブランコの吊り部材（回転軸部）において腐食劣化に伴う突然の部材破断に際しても、利用者が投げ出されたり等、致命傷を負うことがないように、梁部とチェーンを繋いでおく装置に関すること。
【発明の詳細な説明】
【発明の詳細な説明】
【技術分野】
【０００１】この発明は、公園や遊園地等に設置されているブランコの吊り部材（回転軸部）（図１の符号１）において腐食劣化に伴う突然の部材破断（図１の符号７）に際しても、利用者が投げ出されたり等、怪我を負うことがないように、梁部とチェーンを繋いでおく装置（図３の符号１０，１１）またはその装置を持ち合わせたブランコに関することです。
【背景技術】
【０００２】従来は、
１  ブランコの点検において、柱部、梁部、チェーン部は目視点検やノギス計測によって、部材の腐食劣化や磨耗度合いが判別し易いが、吊り部材（回転軸部）においては、軸芯の腐食劣化や磨耗度合いが分解検査を行わないと判別できない部位（図１の符号１）である為、点検費用の増大あるいは未点検の状態で放置されているものもあった。可動部で重要部位であるにも関わらず、腐食劣化の発見及び補修が遅れ、突然の部材破断（図１の符号７）によって利用者が投げ出され、怪我、致命傷を負う危険を伴っていた。
【発明が解決しようとする課題】
【０００３】２０万箇所を超えると言われる、公園に設置されている既存あるいは新設ブランコを如何に安心安全を図り低コストで管理できるかが課題である。
また、吊り部材（回転軸部）が破断したことが認識（図４の状態）しやすく、早期補修を行えるような形状にすることが課題である。
【課題を解決する為の手段】
【０００４】１  ブランコの梁部とブランコチェーンを本発明におけるチェーンまたはワイヤーを含む装置（図３の符号１０，１１）で繋ぐ。
２  吊り部材（回転軸部）が破断した状況（図４の状態）が解り、早期手当てが出来るように、本発明装置のチェーンまたはワイヤー部の長さに適度の余裕（図７の符号２８，図８の符号３０）を持たせる。
３  ブランコの吊り部材（回転軸部）が破断した状況（図４の状態）が解り、早期手当てが出来るように、装置チェーンまたはワイヤー部をブランコチェーンに適度の高さ（図４の符号１６）で装着する。
【発明を実施する為の最良の形態】
【０００５】・  〔図７の符号２７，２８、図８の符号２９，３０〕のように、ブランコの梁部とブランコチェーンを繋ぐ装置は金属製金物と本装置チェーンまたはワイヤーで構成されたもの。あるいは、本装置チェーンまたはワイヤーを装着するための金物をブランコの梁部に溶接で一体構造としたものである。
・  ブランコの吊り部材（回転軸部）が破断した場合（図４の状態）、その状況が解りやすいように、本装置のチェーンまたはワイヤー部の長さに適度の余裕（図７の符号２８，図８の符号３０）を持たせる。破断した場合、ブランコの座板部が傾き（図４の符号１５）、概観上、一見して異常である状況（図４の状態）がわかるようにする。
・  ブランコの吊り部材（回転軸部）が破断した場合、その状況が解りやすいように、本装置のチェーンまたはワイヤー部をブランコチェーンに適度の高さ（図７，８）で装着する。破断した場合、ブランコチェーンが垂れ下がり（図９，１０）、概観上、一見して異常である状況（図４の状態）がわかるようにする。
【発明の効果】
【０００６】１  点検で見落としがちなブランコの吊り部材（回転軸部）の腐食劣化による突然の破断に際しても、利用者が投げ出されたり、怪我を負うことを低減することが出来る。
２  点検の際、労力、コストがかかる回転軸部の分解検査を行わなくても、施設の安全、維持を図ることが出来る為、点検費用を軽減できる。
【図面の簡単な説明】
【図１】従来ブランコの正面図。
【図２】従来ブランコの問題点を表す正面図。
【図３】本発明装置を含むブランコの正面図。
【図４】本発明装置が作用した状況を表すブランコの正面図。
【図５】従来ブランコの梁、回転軸、チェーン部（図１の符号１）の拡大正面図。
【図６】従来ブランコの梁、回転軸、チェーン部（図１の符号１）の拡大断面図。
【図７】本発明装置を含むブランコの梁、回転軸、チェーン部（図３の符号１２）の拡大正面図。
【図８】本発明装置を含むブランコの梁、回転軸、チェーン部（図３の符号１２）の拡大断面図。
【図９】本発明装置が作用した状況（図４の符号１６）を表すブランコの拡大正面図。
【図１０】本発明装置が作用した状況（図４の符号１６）を表すブランコの拡大断面図。
【符号の説明】〔符号１〕
従来ブランコの梁、回転軸、チェーン部。
〔符号２〕
ブランコチェーン。
〔符号３〕
座板部。
〔符号４〕
梁。
〔符号５〕
柱。
〔符号６〕
ＧＬライン。
〔符号７〕
回転軸部。
〔符号８〕
回転軸部破断により垂れたブランコチェーン。
〔符号９〕
回転軸部破断により傾いた座板。
〔符号１０〕
本発明装置（梁装着リング）の正面図。
〔符号１１〕
本発明装置（チェーンまたはワイヤー）の正面図。
〔符号１２〕
本発明装置を含むブランコの梁、回転軸、チェーン部の正面図。
〔符号１３〕
本発明装置（チェーンまたはワイヤー）が作用した状況を表す正面図。
〔符号１４〕
本発明装置が作用した状況を表すブランコチェーンの正面図。
〔符号１５〕
本発明装置が作用した状況を表す座板の正面図。
〔符号１６〕
本発明装置が作用した状況を表す正面図。
〔符号１７〕
ブランコの梁。
〔符号１８〕
ブランコの吊り具。
〔符号１９〕
ブランコの回転軸部。
〔符号２０〕
ブランコの吊り金物。
〔符号２１〕
ブランコチェーン。
〔符号２２〕
ブランコの梁（断面）。
〔符号２３〕
ブランコの吊り具（断面）。
〔符号２４〕
ブランコの回転軸部（断面）。
〔符号２５〕
ブランコの吊り金物（断面）。
〔符号２６〕
ブランコチェーン。
〔符号２７〕
本発明装置（梁装着リング）。
〔符号２８〕
本発明装置（チェーンまたはワイヤー）。
〔符号２９〕
本発明装置（梁装着リング）（断面）。
〔符号３０〕
本発明装置（チェーンまたはワイヤー）（断面）。
〔符号３１〕
作用した状況を表す本発明装置（チェーンまたはワイヤー）。
〔符号３２〕
本発明装置が作用した状況を表すブランコチェーン（回転軸側）と吊り金物。
〔符号３３〕
本発明装置が作用した状況を表すブランコチェーン（座板側）。
〔符号３４〕
作用した状況を表す本発明装置（チェーンまたはワイヤー）（断面）。
〔符号３５〕
本発明装置が作用した状況を表すブランコチェーン（回転軸側）と吊り金物（断面）。
〔符号３６〕
本発明装置が作用した状況を表すブランコチェーン（座板側）。
【図１】
2014083407.tif 000003
【図２】
2014083407.tif 000004
【図３】
2014083407.tif 000005
【図４】
2014083407.tif 000006
【図５】
2014083407.tif 000007
【図６】
2014083407.tif 000008
【図７】
2014083407.tif 000009
【図８】
2014083407.tif 000010
【図９】
2014083407.tif 000011
【図１０】
2014083407.tif 000012